(57)【特許請求の範囲】
【請求項１】
図柄を変動表示する表示領域を備えた表示装置の上部に可動役物を配置した遊技機であって、
前記可動役物は、
可動役物本体と、
前記可動役物本体を前記表示領域の前方に垂下させ又は前記表示領域の前方から退避させるアーム部材と、
前記可動役物本体が前記表示領域の前方に垂下した状態で前記可動役物本体の一部を捲る捲り部材と、
前記アーム部材及び前記捲り部材を駆動する駆動手段と、を有し、
前記アーム部材は、前記駆動手段により所定の軸回りに回転可能に設けられ、かつ、前記可動役物本体が前記表示領域の前方に垂下されている状態から所定の軸回りを一方側に回転することにより、前記可動役物本体の略中心部を押し上げて前記表示領域の前方から退避させるものであり、
前記捲り部材は、一端部が前記アーム部材に取り付けられ、他端部が前記可動役物本体の一部に取り付けられた張力付与部材であり、
前記可動役物本体が前記表示領域の前方に垂下した状態で前記アーム部材が所定の軸回りを前記一方側と反対方向になる他方側に回転することにより、前記可動役物本体の一部に前記張力付与部材から張力が付与されて前記可動役物本体の一部が捲れ、
前記可動役物本体の一部が捲れた状態で前記アーム部材が所定の軸回りを一方側に回転して前記可動役物本体を前記表示領域の前方に垂下させたときに、前記可動役物本体の一部に付与された前記張力付与手段からの張力が解除されて前記可動役物本体の一部の捲れが解消する
ことを特徴とする遊技機。
【請求項２】
前記可動役物本体が前記表示領域の前方に垂下したときに最下部となる前記可動役物本体の下端部に設けられた錘部材と、
前記可動役物本体が通過する開口部が形成され、前記可動役物本体が前記表示領域の前方から退避したときに、前記開口部を通過した前記可動役物本体を内部に収容するケーシング部材と、
前記ケーシング部材に設けられ、前記可動役物本体が前記表示領域の前方から退避したときに前記錘部材が前記開口部を通過して前記ケーシング部材の内部に進入することを防止する進入防止部材と、
を有することを特徴とする請求項１に記載の遊技機。
【請求項３】
前記進入防止部材は、
前記ケーシング部材の前記開口部の近傍に設けられ、前記錘部材と接触して前記錘部材が前記開口部を通過することを阻止するローラ部材であることを特徴とする請求項２に記載の遊技機。
【請求項４】
前記ローラ部材は、前記可動役物本体から所定の圧力を受けたときに回転可能となるように設けられていることを特徴とする請求項３に記載の遊技機。
【請求項５】
前記ケーシング部材の前記開口部を挟んで前記ローラ部材と対向する部位に、リブを設けたことを特徴とする請求項３又は４に記載の遊技機。
【発明の詳細な説明】
【技術分野】
【０００１】
本発明は、遊技球や遊技メダル等の遊技媒体を用いて遊技を行う遊技機に関する。
【背景技術】
【０００２】
遊技機の遊技盤には表示装置が設けられているが、従来の遊技機の中には、この表示装置の近傍、特に上部又は左右に、剣や人間等をモチーフにして形成した可動役物が配置されているものがある。これらの可動役物は、一定の動作が可能となるように設計されているが、プラスチックやアルミニウムなどの金属で構成されたものが多くを占める。
【特許文献１】特開２００６−２２３６５９号公報
【特許文献２】特開２００６−２９６８３７号公報
【特許文献３】特開２００３−１９０４０１号公報
【発明の概要】
【発明が解決しようとする課題】
【０００３】
ところで、上記したように可動役物が比較的固い材質のもので形成されているため、その動作が単純化（ワンパターン化）しており、動作に斬新性がないものとなっていた。また、可動役物を表示装置の上部に遊技者から見えないように配置させる場合には、可動役物が硬い材質で表面積が大きいと、スペース上の制約があり、困難である。
【０００４】
一方、スペースの問題を解決するために、可動役物を布などの比較的柔らかい材質（布状の物）で構成した場合は、その動作を適切に制御することは困難である。例えば、布でできた可動役物を表示装置前面に落下させた後、可動役物を棒状のものに巻き上げて元の状態に戻すとすると、時間がかかり過ぎることになる。また、高速で巻き上げると時間はかからないが、停止時の制御が間に合わず、不具合がおきやすいという問題がある。このため、遊技状態に合わせた迅速な動作が必要となる可動役物を、布状の物や紙状の物などの柔らかい材質のもので構成することは、当業者において不可能とは言えないまでも、困難であると考えられていた。
【０００５】
そこで、本発明は、可動役物を表示装置の上部の比較的狭いスペースに配置させることができ、布状の物などで構成された可動役物本体の斬新かつ迅速な動作を実現することができる遊技機を提供することを目的とする。
【課題を解決するための手段】
【０００６】
請求項１に記載の発明は、図柄を変動表示する表示領域を備えた表示装置の上部に可動役物を配置した遊技機であって、
前記可動役物は、
可動役物本体と、
前記可動役物本体を前記表示領域の前方に垂下させ又は前記表示領域の前方から退避させるアーム部材と、
前記可動役物本体が前記表示領域の前方に垂下した状態で前記可動役物本体の一部を捲る捲り部材と、
前記アーム部材及び前記捲り部材を駆動する駆動手段と、を有し、
前記アーム部材は、前記駆動手段により所定の軸回りに回転可能に設けられ、かつ、前記可動役物本体が前記表示領域の前方に垂下されている状態から所定の軸回りを一方側に回転することにより、前記可動役物本体の略中心部を押し上げて前記表示領域の前方から退避させるものであり、
前記捲り部材は、一端部が前記アーム部材に取り付けられ、他端部が前記可動役物本体の一部に取り付けられた張力付与部材であり、
前記可動役物本体が前記表示領域の前方に垂下した状態で前記アーム部材が所定の軸回りを前記一方側と反対方向になる他方側に回転することにより、前記可動役物本体の一部に前記張力付与部材から張力が付与されて前記可動役物本体の一部が捲れ、
前記可動役物本体の一部が捲れた状態で前記アーム部材が所定の軸回りを一方側に回転して前記可動役物本体を前記表示領域の前方に垂下させたときに、前記可動役物本体の一部に付与された前記張力付与手段からの張力が解除されて前記可動役物本体の一部の捲れが解消する
ことを特徴とする。
【０００７】
請求項１に記載の発明によれば、駆動手段によりアーム部材が駆動されると、可動役物本体が表示領域の前方に垂下させられ、あるいは可動役物本体が表示領域の前方から退避させられる。
【０００８】
また、可動役物本体が表示領域の前方に垂下した状態で、駆動手段により捲り部材が駆動されると、可動役物本体が表示領域の前方に垂下した状態で可動役物本体の一部が捲り部材により捲り上げられる。これにより、可動役物本体の動作のバリエーションを増やすことができるため、可動役物本体の動作を斬新なものにすることができる。
【０００９】
さらに、可動役物本体が前記表示領域の前方に垂下されている状態からアーム部材が所定の軸回りを一方側に回転することにより、可動役物本体の略中心部がアーム部材により押し上げられて表示領域の前方から退避させられる。このように、アーム部材が所定の軸回りに回転するだけで、可動役物本体を表示装置の表示領域の前方から容易かつ的確に退避させることができる。また、可動役物本体の略中心部がアーム部材により押し上げられるため、可動役物本体を表示装置の表示領域の前方から迅速に退避させることができる。
【００１０】
また、可動役物本体が表示領域の前方に垂下した状態でアーム部材が所定の軸回りを一方側と反対方向になる他方側に回転することにより、可動役物本体の一部に張力付与部材から張力が付与されて可動役物本体の一部が捲り上げられる。これにより、捲り部材を張力付与部材という簡易なもので構成することができ、かつ可動役物本体の捲れ動作を的確に実現させることができる。
【００１１】
そして、可動役物本体の一部が捲れた状態でアーム部材が所定の軸回りを一方側に回転して可動役物本体を表示領域の前方に垂下させたときに、可動役物本体の一部に付与された張力付与部材からの張力が解除されて可動役物本体の一部の捲れが解消される。これにより、張力付与部材から可動役物本体に付与された張力を容易に解消させ、可動役物本体が垂下した状態に戻すことができる。
【００１２】
請求項２に記載の発明によれば、請求項１に記載の遊技機において、前記可動役物本体が前記表示領域の前方に垂下したときに最下部となる前記可動役物本体の下端部に設けられた錘部材と、前記可動役物本体が通過する開口部が形成され、前記可動役物本体が前記表示領域の前方から退避したときに、前記開口部を通過した前記可動役物本体を内部に収容するケーシング部材と、前記ケーシング部材に設けられ、前記可動役物本体が前記表示領域の前方から退避したときに前記錘部材が前記開口部を通過して前記ケーシング部材の内部に進入することを防止する進入防止部材と、を有することを特徴とする。
【００１３】
請求項２に記載の発明によれば、可動役物本体の下端部に錘部材を設けたことにより、重力の作用を受けて、可動役物本体が表示領域の前方に垂下し易くなる。また、可動役物本体を捲り上げる場合には、可動役物本体が開口部を通過してケーシング部材の内部に進入していくが、進入防止部材により錘部材が開口部に進入することを防止できる。これにより、可動役物本体の全部がケーシング部材の内部に進入してしまうことを防止できる。この結果、次回の作動時に、可動役物本体を表示領域の前方に垂下できなくなるという問題（可動役物本体がケーシング部材の外部に出なくなるという問題）を回避できる。
【００１４】
請求項３に記載の発明は、請求項２に記載の遊技機において、前記進入防止部材は、前記ケーシング部材の前記開口部の近傍に設けられ、前記錘部材と接触して前記錘部材が前記開口部を通過することを阻止するローラ部材であることを特徴とする。
【００１５】
請求項３に記載の発明によれば、進入防止部材は、錘部材と接触して錘部材が開口部を通過することを阻止するローラ部材であるため、錘部材がローラ部材と接触して開口部の内部に進入することを阻止できる。これにより、錘部材を設けることにより、可動役物本体を垂下し易くすることができるとともに、可動役物本体のケーシング部材の内部への進入を確実に阻止することができる。
【００１６】
請求項４に記載の発明は、請求項３に記載の遊技機において、前記ローラ部材は、前記可動役物本体から所定の圧力を受けたときに回転可能となるように設けられていることを特徴とする。
【００１７】
請求項４に記載の発明によれば、ローラ部材は可動役物本体から所定の圧力を受けたときに回転可能となるように設けられていることにより、可動役物本体とローラ部材との間に発生する摩擦力を低減できる。これにより、ローラ部材が可動役物本体の動作（垂下動作及び捲れ動作）に悪影響を及ぼすことがなく、可動役物本体の動作が円滑になる。
【００１８】
請求項５に記載の発明は、請求項３又は４に記載の遊技機において、前記ケーシング部材の前記開口部を挟んで前記ローラ部材と対向する部位に、リブを設けたことを特徴とする。
【００１９】
請求項５に記載の発明によれば、ケーシング部材の開口部を挟んでローラ部材と対向する部位にリブが設けられているため、ローラ部材とリブで錘部材の開口部への進入が阻止される。これにより、錘部材が開口部に至る手前で、錘部材を停止させることができる。この結果、錘部材の開口部への進入を確実に防止できるとともに、錘部材が開口部に衝突することを防止でき、開口部が破損することを防止できる。
【００２０】
尚、可動役物本体を軟質部材で構成した場合、可動役物本体を、適宜、折り曲げて配置させることができるため、表示装置の上部などのスペースが限られた部位に可動役物を配置させることができる。また、本明細書において、「軟質部材」とは、布、紙、セロハン樹脂などの柔らかい材質で構成されている部材を意味する。また、「表示領域の前方」とは、遊技者から見て、表示領域の前方側の領域を意味する。また、「遊技状態」とは、例えば、大当り遊技状態、リーチ遊技状態、確変遊技状態、時短遊技状態など遊技者にとって有利か否かにかかわる遊技状態を意味する。
【発明の効果】
【００２１】
本発明によれば、可動役物を表示装置の上部の比較的狭いスペースに配置させることができ、布状の物などで構成された可動役物本体の斬新かつ迅速な動作を実現することができる遊技機の提供が可能になる。
【図面の簡単な説明】
【００２２】
【図１】本発明の第１実施形態に係る遊技機の正面図である。
【図２】本発明の第１実施形態に係る遊技機の側面図である。
【図３】本発明の第１実施形態に係る遊技機の遊技盤の正面図であり、特に可動役物本体が表示装置の表示領域の前方から退避した状態の正面図である。
【図４】本発明の第１実施形態に係る遊技機の遊技盤の正面図であり、特に可動役物本体が表示装置の表示領域の前方に垂下した状態の正面図である。
【図５】本発明の第１実施形態に係る遊技機の遊技盤の正面図であり、特に可動役物本体の一部が捲れた状態の正面図である。
【図６】本発明の第１実施形態に係る遊技機の可動役物を構成する可動役物本体が表示装置の表示領域の前方から退避した状態を示す部分的な斜視図である。
【図７】本発明の第１実施形態に係る遊技機の可動役物を構成する可動役物本体が表示装置の表示領域の前方から退避した状態を示す正面図である。
【図８】図７のＡ―Ａ間の断面図である。
【図９】本発明の第１実施形態に係る遊技機の可動役物を構成する可動役物本体が表示装置の表示領域の前方に垂下した状態を示す部分的な斜視図である。
【図１０】本発明の第１実施形態に係る遊技機の可動役物を構成する可動役物本体が表示装置の表示領域の前方に垂下した状態を示す正面図である。
【図１１】図１０のＢ―Ｂ間の断面図である。
【図１２】本発明の第１実施形態に係る遊技機の可動役物を構成する可動役物本体が表示装置の表示領域の前方に垂下した状態から捲り上げられた状態を示す部分的な斜視図である。
【図１３】本発明の第１実施形態に係る遊技機の可動役物を構成する可動役物本体が表示装置の表示領域の前方に垂下した状態から捲り上げられた状態を示す正面図である。
【図１４】図１３のＣ―Ｃ間の断面図である。
【図１５】本発明の第１実施形態に係る遊技機の制御システムに関するブロック図である。
【図１６】本発明の第１実施形態に係る遊技機のサブ制御基板を説明するためのブロック図である。
【図１７】本発明の第１実施形態に係る遊技機の第１変形例となる可動役物の作用図である。
【図１８】本発明の第１実施形態に係る遊技機の第２変形例となる可動役物の作用図である。
【図１９】本発明の第１実施形態に係る遊技機の第３変形例となる可動役物の可動役物本体が垂下した状態の可動役物の正面図である。
【図２０】本発明の第１実施形態に係る遊技機の第３変形例となる可動役物の可動役物本体が捲り上がった状態の可動役物の正面図である。
【図２１】本発明の第１実施形態に係る遊技機の第３変形例となる可動役物の可動役物本体が捲り上がった状態の可動役物の側面図である。
【図２２】本発明の第１実施形態に係る遊技機の第３変形例となる可動役物の可動役物本体が垂下した状態の可動役物の斜視図である。
【図２３】本発明の第１実施形態に係る遊技機の第３変形例となる可動役物の可動役物本体が捲り上がった状態の可動役物の斜視図である。
【発明を実施するための形態】
【００２３】
次に、本発明の第１実施形態に係る遊技機について、図面を参照して説明する。なお、本実施形態では本発明を弾球遊技機の一例であるパチンコ機に適用した構成を説明する。
【００２４】
図１及び図２に示すように、第１実施形態に係る遊技機であるパチンコ機（遊技機）１０の前面部には、主として、外枠１２と、内枠１４と、前面枠１６と、上皿部１８と、下皿部２０と、施錠装置２２と、発射ハンドル２４などが設けられている。
【００２５】
外枠１２は、木製の板状体を略長方形の額縁状に組立て固着したものである。内枠１４は、全体がブラスチック製で、外枠１２に対して開閉可能に軸支されている。また、内枠１４の右端中央には施錠装置２２が設けられている。
【００２６】
前面枠１６は、本発明の前面扉の一具体例を示すもので、パチンコ機１０の前面部全体の約２／３のサイズを占め、内枠１４の左端に開閉可能となるように軸支されている。また、前面枠１６は、全体がプラスチック製であり、遊技盤２６（図３乃至図５参照）を前方から視認するべく、遊技盤２６に形成された遊技領域２８（図３乃至図５参照）の形状に対応して略円形に形成された開口部３０を有している。また、前面枠１６の裏面には、ガラス板３２がガラス枠（図示省略）によって取り付けられている。そして、遊技者を基準とすれば、遊技盤２６に形成された遊技領域２８はガラス板３２の後方に位置するようになっている。なお、本実施形態では、ガラス板３２を前面枠１６の裏面側に取り付けた構成を例にとり説明したが、例えば、前面枠１６の前面側にガラス枠により取り付けてもよい。また、ガラス板３２に替えて、透明な樹脂板を前面枠１６に取り付けることができる。
【００２７】
また、図１及び図２に示すように、前面枠１６の左上方側及び右上方側には、メインスピーカ（図示省略）から出力された音声を前面枠１６の外部に導くための導音部３４がそれぞれ設けられている。各導音部３４は、円筒状の導音部本体３６と、導音部本体３６に形成された複数のスリット３８と、で構成されている。
【００２８】
また、前面枠１６の下方側には、上皿部１８が設けられている。この上皿部１８には、演出ボタン４０と、球貸し操作部１５５と、がそれぞれ設けられている。
【００２９】
また、上皿部１８の下方側には、下皿部２０が設けられている。また、下皿部２０の右下方側には、遊技球を発射させるための発射ハンドル２４が設けられている。この発射ハンドル２４には、発射レバー４４と、発射停止ボタン４６がそれぞれ設けられている。
【００３０】
また、図１及び図２に示すように、下皿部２０の左右下方側には、所定の効果音を出力するための各サブスピーカ４８がそれぞれ設けられている。
【００３１】
また、内枠１４には、遊技領域２８（図３乃至図５参照）の形状に合致した開口部（図示省略）が形成されている。この内枠１４の内側面には、遊技盤２６（図３乃至図５参照）が取り付けられる。これにより、遊技者は、遊技盤２６の遊技領域２８を内枠１４の開口部及び前面枠１６の開口部３０を通して視認することができる。
【００３２】
さらに、パチンコ機１０の正面左側には、球貸装置（球貸部）１５４が設けられている。本実施形態では、球貸装置１５４として、ＣＲユニットが適用されている。この球貸装置１５４には、プリペイドカードを挿入するカード挿入口１５７が形成されている。なお、球貸装置１５４として、現金ユニットを設けた構成でもよい。この現金ユニットには、カード挿入口１５７に替えて、現金を入れるための現金投入口（図示省略）が形成されている。
【００３３】
また、球貸し操作部１５５には、球貸しを要求するための球貸スイッチ１５６、カード挿入口１５７に挿入されたプリペイドカードの返却を要求するための返却スイッチ１５８と、がそれぞれ設けられている。
【００３４】
例えば、球貸装置１５４のカード挿入口１５７にプリペイドカードを挿入すると、プリペイドカードの記憶情報が球貸装置１５４内部のカードリードライタにより読み取られる。プリペイドカードの残り度数が「０」である場合には、カード挿入口１５７から自動的にプリペイドカードが返却される。一方、プリペイドカードの残り度数が「０」でない場合には、球貸スイッチ１５６を押圧操作すると、カードリードライタによりプリペイドカードの残り度数が減算されてプリペイドカードの記憶情報が書き換えられると共に、その減算された度数に対応する数量の遊技球（貸球）が上皿部１８に案内される。このとき、例えば、プリペイドカードの残り度数が減算されて「０」となった場合には、カード挿入口１５７から自動的にプリペイドカードが返却される。
【００３５】
なお、球貸装置１５４として現金ユニットを用いる構成では、球貸装置の現金投入口に現金を投入すると、現金が球貸装置内部のキャッシュカウンタによりカウントされる。投入金額が所定の額に到達した後、球貸スイッチを押圧操作すると、キャッシュカウンタにより投入金額が減額されていくとともに、その減額された金額に対応する数量の遊技球（貸球）が上皿部１８に案内される。
【００３６】
次に、遊技盤２６の表面構造について、図面を参照して説明する。
【００３７】
図３乃至図５に示すように、遊技盤２６は、内枠１４に保持されるとともに、裏機構盤（図示省略）よりその背面側が覆われている。遊技盤２６には、遊技盤２６の表面に設けられた外レール５０と内レール５２とにより略円形状の遊技領域２８が形成されている。遊技領域２８の内部には、中央装置５４と、始動口５６Ｂを有する普通電動役物５６と、多数の障害釘６０と、風車６３等と、がそれぞれ配設されている。
【００３８】
中央装置５４は、遊技領域２８の略中央部に配置されており、演出図柄表示装置（表示装置）６２と、可動役物２００と、を備えている。
【００３９】
演出図柄表示装置６２は、後述の主制御基板１０２（図１５参照）やサブ制御基板（制御手段）１０６（図１５参照）からの制御信号に基づいて表示制御されており、略長方形状の表示面（表示領域）６２Ａを有している。この表示面６２Ａ上には、特別図柄の演出図柄が表示される。具体的には、演出図柄表示装置６２の表示面６２Ａ上には、１又は複数の演出図柄を所定の方向に次々と変動させながら表示した後、停止表示する演出図柄表示領域が形成されている。すなわち、左演出図柄を表示する左演出図柄表示領域、中央演出図柄を表示する中央演出図柄表示領域、及び右演出図柄を表示する右演出図柄表示領域が、略横一列となる配置方向に沿って並んで形成されている（それぞれ図示省略）。各演出図柄表示領域は、これらの表示領域の配置方向と略直交する方向（上下方向）に図柄変動方向が設定されており、その方向に複数の演出図柄が順次表示されていく。
【００４０】
演出図柄表示装置６２は、遊技球が普通電動役物５６の始動口５６Ｂに入球することにより、その表示面６２Ａの表示領域に表示される各演出図柄をそれぞれ変動させて停止表示させるものである。そして、例えば、演出図柄が「７、７、７」の３桁同一図柄で揃って停止表示（確定表示）すると、後述の変動入賞装置８０に配設された後述の大入賞装置８４の大入賞口８６が開放される。本実施形態のパチンコ機１０では普通電動役物５６の始動口５６Ｂに遊技球が入球すると、各演出図柄がそれぞれ変動され、演出図柄が３桁同一図柄で揃うことにより、「大当り」という特定価値を付与するものである。
【００４１】
ここで、本実施形態のパチンコ機１０では、例えば、大当りとして２種類のものが予め設定されている。具体的には、「７、７、７」などの同一の奇数数字の演出図柄が３桁揃うことにより成立する確変大当りがある。また、「８、８、８」などの同一の偶数数字の演出図柄が３桁揃うことにより成立する通常大当りがある。
【００４２】
確変大当り及び通常大当りは、比較的多くのラウンド数（例えば１５ラウンド）を有し、大入賞口８６の開放時間が約２６秒間である大当りである。このため、賞球数が比較的多くなる。なお、各大当りでは、大入賞口８６に所定数（例えば、１０個）の遊技球が入球するか、あるいは所定数（例えば、１０個）の遊技球が入球しなくても所定時間（例えば２６秒間）が経過したときに大入賞口８６が閉じられて１ラウンドが終了する。
【００４３】
また、確率変動状態は、大当り（確変大当り及び通常大当りの２種類の大当りを意味する）に移行する確率が予め定められた高確率となる状態である。また、開放時間延長状態は、普通電動役物５６の始動口５６Ｂの開放時間が通常よりも延長される状態である。例えば、通常の開放時間は、約０．１秒間であるのに対して、開放時間延長状態では、約４秒間に延長される。なお、普通電動役物５６の始動口５６Ｂは、普通図柄に当選することにより開放する。
【００４４】
また、確変大当りの後は、大当りに移行する確率が、通常遊技状態と比べ予め定められた高確率となる、特別図柄の確率変動状態になる。そして、次回大当りが発生するまでの間か、あるいは規定回数（例えば、１００００回）の特別図柄の変動表示が行われるまでの間、特別図柄及び普通図柄の変動時間が短縮され、かつ普通電動役物５６の開放延長機能が作動する。また、通常大当りの後は、大当りに移行する確率が通常遊技状態と同一の予め定められた低確率状態となるとともに、規定回数（例えば、１００回）だけ特別図柄及び普通図柄の変動時間が短縮され、かつ普通電動役物５６の開放延長機能が作動する時短遊技状態となる。
【００４５】
次に、本発明の要部となる可動役物の構成について詳細に説明する。
図６乃至図１４に示すように、可動役物２００は、演出図柄表示装置６２の表示面６２Ａの上方のスペースに設けられており、左側暖簾部材（可動役物本体）２０２、中央側暖簾部材（可動役物本体）２０４、右側暖簾部材（可動役物本体）２０６を備えている。各暖簾部材２０２、２０４、２０６は、軟質部材の一種である布状物で構成されており、巻き取りや折り畳みが可能となっている。また、各暖簾部材２０２、２０４、２０６の表面には、所定の模様（柄）が付されている。
【００４６】
また、可動役物２００は、左側アーム部材（アーム部材）２０８、中央側アーム部材（アーム部材）２１０、右側アーム部材（アーム部材）２１２を備えている。左側アーム部材２０８は、平板状の左側アーム部材本体２０８Ａと、左側アーム部材本体２０８Ａから直交する方向に向かって突出するように形成された左側支持部材２０８Ｂと、で構成されている。また、中央側アーム部材２１０は、平板状の中央側アーム部材本体２１０Ａと、中央側アーム部材本体２１０Ａから直交する方向に向かって突出するように形成された中央側支持部材２１０Ｂと、で構成されている。さらに、右側アーム部材２１２は、平板状の右側アーム部材本体２１２Ａと、右側アーム部材本体２１２Ａから直交する方向に向かって突出するように形成された右側支持部材２１２Ｂと、で構成されている。
【００４７】
また、可動役物２００は、第１モータ（駆動手段）２１４と、第２モータ（駆動手段）２１６と、を備えている。第１モータ２１４は、第１モータ本体２１４Ａと、第１モータ本体２１４Ａにより回転駆動される第１モータ軸２１４Ｂと、を備えている。また、第１モータ軸２１４Ｂには、第１モータ軸２１４Ｂに対して略平行に延在する第１取付軸２１４Ｃが形成されている。第１モータ軸２１４Ｂに回転駆動力が作用すると、第１モータ軸２１４Ｂと第１取付軸２１４Ｃが同期して回転する。
【００４８】
また、第２モータ２１６は、第２モータ本体２１６Ａと、第２モータ本体２１６Ａにより回転駆動される第２モータ軸２１６Ｂと、を備えている。また、第２モータ軸２１６Ｂには、第２モータ軸２１６Ｂに対して略平行に延在する第２取付軸２１６Ｃが形成されている。第２モータ軸２１６Ｂに回転駆動力が作用すると、第２モータ軸２１６Ｂと第２取付軸２１６Ｃが同期して回転する。
【００４９】
ここで、各暖簾部材２０２、２０４、２０６、各アーム部材２０８、２１０、２１２、各モータ２１４、２１６との位置関係について構成の点から詳細に説明する。
【００５０】
すなわち、図６乃至図１４に示すように、左側アーム部材２０８の左側アーム部材本体２０８Ａの上端部には、第１モータ２１４の第１モータ軸２１４Ｂが貫通されている。このため、第１モータ軸２１４Ｂが軸回りに回転すると、左側アーム部材２０８も同期して回転する。また、左側アーム部材２０８の左側アーム部材本体２０８Ａと対向するようにして左側暖簾部材２０２が第１取付軸２１４Ｃに取り付けられている。なお、左側暖簾部材２０２の上端部に第１取付軸２１４Ｃが挿通可能な筒状部２０２Ａを形成し、この筒状部２０２Ａに第１取付軸２１４Ｃが挿通されて、左側暖簾部材２０２が第１取付軸２１４Ｃに取り付けられている。また、第１モータ軸２１４Ｂが軸回りに回転すると、第１取付軸２１４Ｃが回転するとともに、左側暖簾部材２０２の筒状部２０２Ａは第１取付軸２１４Ｃからの回転駆動力を受けず、筒状部２０２Ａの内部で第１取付軸２１４Ｃが空回りすることになる。
【００５１】
また、中央側アーム部材２１０の中央側アーム部材本体２１０Ａの上端部には、左側アーム部材本体２０８Ａと同様にして、第１モータ２１４の第１モータ軸２１４Ｂが貫通されている。このため、第１モータ軸２１４Ｂが軸回りに回転すると、中央側アーム部材２１０も同期して回転する。この中央側アーム部材２１０は、左側アーム部材２０８の右側に並ぶようにして設けられている。また、中央側アーム部材２１０の中央側アーム部材本体２１０Ａと対向するようにして中央側暖簾部材２０４が第１取付軸２１４Ｃに取り付けられている。なお、中央側暖簾部材２０４の上端部に第１取付軸２１４Ｃが挿通可能な筒状部２０４Ａを形成し、この筒状部２０４Ａに第１取付軸２１４Ｃが挿通されて、中央側暖簾部材２０４が第１取付軸２１４Ｃに取り付けられている。また、第１モータ軸２１４Ｂが軸回りに回転すると、第１取付軸２１４Ｃが回転するとともに、中央側暖簾部材２０４の筒状部２０４Ａは第１取付軸２１４Ｃからの回転駆動力を受けず、筒状部２０４Ａの内部で第１取付軸２１４Ｃが空回りすることになる。
【００５２】
また、右側アーム部材２１２の右側アーム部材本体２１２Ａの上端部には、第２モータ２１６の第２モータ軸２１６Ｂが貫通されている。このため、第２モータ軸２１６Ｂが軸回りに回転すると、右側アーム部材２１２も同期して回転する。また、右側アーム部材２１２の右側アーム部材本体２１２Ａと対向するようにして右側暖簾部材２０６が第２取付軸２１６Ｃに取り付けられている。なお、右側暖簾部材２０６の上端部に第２取付軸２１６Ｃが挿通可能な筒状部２０６Ａを形成し、この筒状部２０６Ａに第２取付軸２１６Ｃが挿通されて、右側暖簾部材２０６が第２取付軸２１６Ｃに取り付けられている。また、第２モータ軸２１６Ｂが軸回りに回転すると、第２取付軸２１６Ｃが回転するとともに、右側暖簾部材２０６の筒状部２０６Ａは第２取付軸２１６Ｃからの回転駆動力を受けず、筒状部２０６Ａの内部で第２取付軸２１６Ｃが空回りすることになる。なお、右側暖簾部材２０６は、中央側暖簾部材２０４の右側に並ぶようにして設けられている。
【００５３】
以上のようにして、各暖簾部材２０２、２０４、２０６は、遊技盤２６上を左右方向にわたって並ぶようにして設けられている。
【００５４】
また、第１モータ２１４及び第２モータ２１６の駆動は、サブ制御基板１０６のＣＰＵ１０６Ａから装飾駆動基板１１４を介して制御される。
【００５５】
ここで、図６乃至図８に示すように、各暖簾部材２０２、２０４、２０６が演出図柄表示装置６２の表示面６２Ａの前方から退避している状態では、各暖簾部材２０２、２０４、２０６の下方に各アーム部材２０８、２１０、２１２が位置しており、各暖簾部材２０２、２０４、２０６を各アーム部材２０８、２１０、２１２が下方から支持している状態となっている。
【００５６】
また、図９乃至図１１に示すように、各暖簾部材２０２、２０４、２０６が演出図柄表示装置６２の表示面６２Ａの前方に垂下している状態では、各アーム部材２０８、２１０、２１２の前方に各暖簾部材２０２、２０４、２０６が位置するため、遊技者側からは各暖簾部材２０２、２０４、２０６に遮られて各アーム部材２０８、２１０、２１２を視認することができない。
【００５７】
さらに、図１２乃至図１４に示すように、各暖簾部材２０２、２０４、２０６が演出図柄表示装置６２の表示面６２Ａの前方に垂下している状態で、各アーム部材２０８、２１０、２１２が後方側に回転したときには、各筒状部２０２Ａ、２０４Ａ、２０６Ａの内部を各取付軸２１４Ｃ、２１６Ｃが空回りするため、演出図柄表示装置６２の表示面６２Ａの前方に各暖簾部材２０２、２０４、２０６の垂下した状態が維持されつつ、中央側暖簾部材２０４及び右側暖簾部材２０６の一部が捲れ上がる。
【００５８】
また、図６乃至図１４に示すように、中央側暖簾部材２０４の下端部裏側の右側部位と中央側アーム部材２１０の上端部裏側の左側部位との間は、紐あるいは糸で構成された紐状部材（捲り部材、張力付与部材）２１８で接続されている。図９乃至図１１に示すように、中央側暖簾部材２０４が演出図柄表示装置６２の表示面６２Ａの前方に垂下している状態において紐状部材２１８が撓んでいる。そして、図１２乃至図１４に示すように、中央側アーム部材２１０が後方側に回転したときに、紐状部材２１８が張り、演出図柄表示装置６２の表示面６２Ａの前方に垂下している中央側暖簾部材２０４の下端部裏側の右側部位に対角線方向上方側から張力が付与されて中央側暖簾部材２０４の下端部裏側の右側部位が後方の上方側に捲り上げられる。
【００５９】
さらに、図６乃至図１４に示すように、右側暖簾部材２０６の下端部裏側の左側部位と右側アーム部材２１２の上端部裏側の右側部位との間は、紐あるいは糸で構成された紐状部材（捲り部材、張力付与部材）２２０で接続されている。図９乃至図１１に示すように、右側暖簾部材２０６が演出図柄表示装置６２の表示面６２Ａの前方に垂下している状態において紐状部材２２０が撓んでいる。そして、図１２乃至図１４に示すように、右側アーム部材２１２が後方側に回転したときに、紐状部材２２０が張り、演出図柄表示装置６２の表示面６２Ａの前方に垂下している右側暖簾部材２０６の下端部裏側の左側部位に対角線方向上方側から張力が付与されて右側暖簾部材２０６の下端部裏側の左側部位が後方の上方側に捲り上げられる。
【００６０】
このように、中央側暖簾部材２０４の下端部裏側の右側部位と右側暖簾部材２０６の下端部裏側の左側部位とが捲り上げられると、遊技者は、あたかも暖簾が自然に開いたかのように印象を受けることになる。
【００６１】
また、図３乃至図５に示すように、遊技領域の左下方側には、主制御基板１０２からの制御信号に基づいて識別図柄（特別図柄の識別図柄及び普通図柄の識別図柄を意味する）を表示制御する７セグ表示基板（図柄表示装置）６８が配置されている。この７セグ表示基板６８は、特別図柄の識別図柄を表示する７セグメント表示器７０と、４個の普通図柄保留表示ＬＥＤ７２と、４個の特別図柄保留表示ＬＥＤ７４と、普通図柄の識別図柄を表示する２個の普通図柄表示ＬＥＤ７６と、を有している。
【００６２】
ここで、確変大当りした場合では、７セグメント表示器７０には、予め定められた図柄（例えば奇数の数字）が表示される。また、通常大当りした場合では、７セグメント表示器７０には、予め定められた別の図柄（例えば偶数の数字）が表示される。そして、各大当りのラウンド中では、７セグメント表示器７０にはその図柄が表示される。
【００６３】
また、演出図柄表示装置６２の左側には、普通図柄作動ゲート７８が配置されている。この普通図柄作動ゲート７８の内部には、ゲートスイッチ１２４（図１５参照）が配設されている。これにより、遊技球が普通図柄作動ゲート７８を通過すると、ゲートスイッチ１２４が作動して、７セグ表示基板６８の普通図柄表示ＬＥＤ７６が変動表示される。
【００６４】
各普通図柄保留表示ＬＥＤ７２及び各特別図柄保留表示ＬＥＤ７４は、４個の丸形の赤色ＬＥＤで構成されており、７セグメント表示器７０の左右両側に近接して配置されている。これは、普通図柄作動ゲート７８を通過した遊技球の数を４個まで普通図柄の保留とし、通過ごとに順次点灯しシフト表示するものである。また、普通電動役物５６の始動口５６Ｂに入球した遊技球の数も４個まで特別図柄の保留とし、入球ごとに順次点灯しシフト表示するものである。７セグメント表示器７０の変動表示が開始する度に、未始動回数が消化され、１個の特別図柄保留表示ＬＥＤ７４は消灯される。また、普通図柄も普通図柄表示ＬＥＤ７６の変動表示が開始するたびに、未始動回数が消化され、１個の普通図柄保留表示ＬＥＤ７２が消灯される。そして、７セグメント表示器７０に予め定められた大当り図柄が停止表示されると大当りが発生し、後述の大入賞口８６が開放状態となる。また、２個の普通図柄表示ＬＥＤ７６が予め定められた表示態様（当り図柄）で停止表示されると、普通図柄当りが発生し、普通電動役物５６の始動口５６Ｂが開放状態となる。なお、７セグメント表示器７０にて表示される特別図柄の識別図柄と、演出図柄表示装置６２にて表示される特別図柄の演出図柄とは、同一の遊技結果（抽選結果）を示すものである。
【００６５】
普通電動役物５６の始動口５６Ｂは、演出図柄表示装置６２の下方に離れて配置されているものであり、いわゆるチューリップ式で一対の翼片部材５６Ａが開閉するように形成されている。その内部には、遊技球の通過を検知する始動口スイッチ１２０（図１５参照）と、翼片部材５６Ａを作動させるための普通電動役物ソレノイド１３０（図１５参照）と、がそれぞれ備えられている。この一対の翼片部材５６Ａが左右に開くと始動口５６Ｂの開放面積が大きくなって遊技球の入球可能性が大きくなる開放状態となり、一対の翼片部材５６Ａが閉じその離間距離が小さくなると始動口５６Ｂの開放面積が小さくなって遊技球の入球の可能性が小さくなる通常状態となる。
【００６６】
変動入賞装置８０は、普通電動役物５６の下方に配置されており、基板８２と、大入賞装置８４と、を備えている。ここで、大入賞装置８４は、略中央に配置されており、帯状に開口された大入賞口８６と、この大入賞口８６を開放又は閉鎖する開閉板８８と、この開閉板８８を開閉するための大入賞口ソレノイド１３２（図１５参照）と、入賞球を検知するカウントスイッチ１２６（図１５参照）と、を備えている。
【００６７】
また、中央装置５４の左側下方部には、風車６３が配置されている。さらに、遊技領域の左側下方部及び右側下方には、一対のサイドランプ９０がそれぞれ配置されている。
【００６８】
また、遊技盤２６の下方にはアウト口９２が設けられており、このアウト口９２の下部にはバック球防止部材９４が設けられている。このバック球防止部材９４は、遊技領域２８に到達せず戻ってきた遊技球が再び発射位置に戻ることを防止している。また、内レール５２の先端部には、ファール球防止部材９６が取り付けられている。
【００６９】
次に、パチンコ機１０を構成する電子制御装置について説明する。
【００７０】
図１５及び図１６に示すように、電子制御装置は、主制御基板１０２と、払出制御基板１０４と、サブ制御基板１０６と、発射制御基板１０８と、を備えている。
【００７１】
主制御基板１０２は、ＣＰＵ１０２Ａと、ＲＯＭ１０２Ｂと、を備えている。主制御基板１０２のＣＰＵ１０２Ａは、ＲＯＭ１０２Ｂに記憶されたデータに基づいて、後述の普通電動役物ソレノイド１３０、後述の大入賞口ソレノイド１３２、後述の図柄表示装置１３４及びサブ制御基板１０６をそれぞれ制御する。また、主制御基板１０２のＣＰＵ１０２Ａは、遊技全体を司り主として当否判定などの遊技状態を判断するものであり、この判断した遊技状態に沿った遊技環境（演出態様）を実現させるように制御するサブ制御基板１０６及び払出制御基板１０４を直接的に制御する。また、主制御基板１０２のＣＰＵ１０２Ａは、演出表示基板１１０、アンプ基板１１２、装飾駆動基板１１４及び演出ボタン基板１１６をサブ制御基板１０６を介して間接的に制御する。また、主制御基板１０２のＲＯＭ１０２Ｂには、ＣＰＵ１０２Ａにより実行される遊技全体の制御を実現するためのプログラムが記憶されている。
【００７２】
また、主制御基板１０２は、中継端子板１１８を介して、始動口スイッチ１２０と、大入賞口スイッチ１２２と、ゲートスイッチ１２４と、カウントスイッチ１２６と、にそれぞれ電気的に接続されている。
【００７３】
また、主制御基板１０２は、中継端子板１２８を介して、普通電動役物ソレノイド１３０と、大入賞口ソレノイド１３２と、図柄表示装置１３４と、にそれぞれ電気的に接続されている。なお、７セグ表示基板６８は、図柄表示装置１３４の一実施形態である。
【００７４】
払出制御基板１０４は、中継端子板１３６を介して、ガラス枠スイッチ１３８と、外部タンクスイッチ１４０と、タンクスイッチ１４２と、にそれぞれ電気的に接続されている。また、払出制御基板１０４は、中継端子板１４４を介して、エラーＬＥＤ１４６に電気的に接続されている。また、払出制御基板１０４は、下皿満タンスイッチ１４８に電気的に接続されている。また、払出制御基板１０４は、中継端子板１５０を介して、球貸表示基板１５２と、球貸装置（ＣＲユニット）１５４と、にそれぞれ電気的に接続されている。
【００７５】
なお、球貸表示基板１５２には、球貸スイッチ１５６と、返却スイッチ１５８と、がそれぞれ電気的に接続されている。また、払出制御基板１０４は、中継端子板１６０を介して、払出モータ１６２と払出スイッチ１６４とにそれぞれ電気的に接続されている。さらに、払出制御基板１０４は、主制御基板１０２と発射制御基板１０８とにそれぞれ電気的に接続されている。
【００７６】
サブ制御基板１０６は、演出表示基板１１０と、アンプ基板１１２と、装飾駆動基板１１４と、演出ボタン基板１１６と、にそれぞれ電気的に接続されている。
【００７７】
また、サブ制御基板１０６は、主制御基板１０２からの制御信号に基づいて遊技の演出の制御を司るものである。また、サブ制御基板１０６は、ＣＰＵ１０６Ａと、ＲＯＭ１０６Ｂと、を備えている。
【００７８】
サブ制御基板１０６のＣＰＵ１０６Ａは、主制御基板１０２からの制御信号を受けて演出表示基板１１０、アンプ基板１１２、装飾駆動基板１１４及び演出ボタン基板１１６などの各基板を制御する。特に、本実施形態では、ＣＰＵ１０６Ａは、ＲＯＭ１０６Ｂに記憶されたテーブルに基づいて、装飾駆動基板１１４を介して第１モータ２１４及び第２モータ２１６の駆動を制御する。
【００７９】
また、ＲＯＭ１０６Ｂには、各基板の制御に必要なデータ（特に遊技の装飾に関する情報）が記憶されている。特に、本実施形態では、遊技状態と各モータ２１４、２１６の駆動タイミングとの関係を示したプログラムが記憶されている。例えば、遊技状態が特定の遊技状態（例えば、スーパーリーチの状態（演出図柄の２つが同一の数字で確定表示され、他の１つの数字が変動表示中の遊技状態））になったときに、第１モータ２１４及び第２モータ２１６の駆動が同期して開始するようなプログラムが記憶されている。なお、第１モータ２１４及び第２モータ２１６の駆動は、各暖簾部材２０２、２０４、２０６及び各アーム部材２０８、２１０、２１２の動作が揃うように、制御される。
【００８０】
また、図１６に示すように、演出表示基板１１０には、演出表示装置１６６（６２）と、演出表示ＲＯＭ１６８と、がそれぞれ電気的に接続されている。この演出表示ＲＯＭ１６８には、演出図柄表示装置６２に変動表示される演出図柄のデータが記憶されている。なお、演出図柄表示装置６２は、演出表示装置１６６の一実施形態である。
【００８１】
また、アンプ基板１１２には、所定の効果音を出力する各種スピーカ１７０（４８）が電気的に接続されている。なお、サブスピーカ４８は、各種スピーカ１７０の一実施形態である。
【００８２】
また、装飾駆動基板１１４には、各種ＬＥＤ・ランプ１７２と、第１モータ２１４と、第２モータ２１６と、が電気的に接続されている。また、装飾駆動基板１１４は、サブ制御基板１０６からのコマンドを受けて遊技の装飾に関する制御を行うものである。特に、本実施形態では、装飾駆動基板１１４は、第１モータ２１４及び第２モータ２１６の駆動を直接的に制御する。また、演出ボタン基板１７８には、操作スイッチ１７４（４０）が電気的に接続されている。また、演出ボタン４０は、操作スイッチ１７４の一実施形態である。
【００８３】
特に、第１モータ２１４は、左側アーム部材２０８及び中央側アーム部材２１０を軸回りの一方側（後方側）又は他方側（前方側）に回転させるものである。すなわち、左側暖簾部材２０２及び中央側暖簾部材２０４が演出図柄表示装置６２の表示面６２Ａの前方から退避した状態（図６乃至図８参照）で、第１モータ２１４により左側アーム部材２０８及び中央側アーム部材２１０が軸回りを一方側に回転すると、左側暖簾部材２０２及び中央側暖簾部材２０４が演出図柄表示装置６２の表示面６２Ａの前方に垂下する。また、左側暖簾部材２０２及び中央側暖簾部材２０４が演出図柄表示装置６２の表示面６２Ａの前方に垂下した状態から第１モータ２１４により左側アーム部材２０８及び中央側アーム部材２１０が軸回りを一方側（後方側）にさらに回転すると、中央側暖簾部材２０４の下端部の右側部位が捲り上がる。また、中央側暖簾部材２０４の下端部の右側部位が捲り上げられた状態から、第１モータ２１４により左側アーム部材２０８及び中央側アーム部材２１０が軸回りを他方側（前方側）に回転すると、再度、左側暖簾部材２０２及び中央側暖簾部材２０４が演出図柄表示装置６２の表示面６２Ａの前方に垂下した状態になるとともに、中央側暖簾部材２０４の下端部の右側部位の捲れが解消する。さらに、左側暖簾部材２０２及び中央側暖簾部材２０４が演出図柄表示装置６２の表示面６２Ａの前方に垂下した状態から第１モータ２１４により左側アーム部材２０８及び中央側アーム部材２１０が軸回りを他方側（前方側）に回転すると、左側暖簾部材２０２及び中央側暖簾部材２０４が演出図柄表示装置６２の表示面６２Ａの前方から退避して表示面６２Ａの上部に移動する。この状態では、左側暖簾部材２０２及び中央側暖簾部材２０４が中央装置５４の一部に隠されるため、遊技者側から視認することができなくなる。
【００８４】
また、第２モータ２１６は、右側アーム部材２１２を軸回りの一方側（後方側）又は他方側（前方側）に回転させるものである。すなわち、右側暖簾部材２０６が演出図柄表示装置６２の表示面６２Ａの前方から退避した状態（図６乃至図８参照）で、第２モータ２１６により右側アーム部材２１２が軸回りを一方側（後方側）に回転すると、右側暖簾部材２０６が演出図柄表示装置６２の表示面６２Ａの前方に垂下する。また、右側暖簾部材２０６が演出図柄表示装置６２の表示面６２Ａの前方に垂下した状態から第２モータ２１６により右側アーム部材２１２が軸回りを一方側（後方側）にさらに回転すると、右側暖簾部材２０６の下端部の左側部位が捲り上がる。また、右側暖簾部材２０６の下端部の左側部位が捲り上げられた状態から、第２モータ２１６により右側アーム部材２１２が軸回りを他方側（前方側）に回転すると、再度、右側暖簾部材２０６が演出図柄表示装置６２の表示面６２Ａの前方に垂下した状態になるとともに、右側暖簾部材２０６の下端部の左側部位の捲れが解消する。さらに、右側暖簾部材２０６が演出図柄表示装置６２の表示面６２Ａの前方に垂下した状態から第２モータ２１６により右側アーム部材２１２が軸回りを他方側（前方側）に回転すると、右側暖簾部材２０６が演出図柄表示装置６２の表示面６２Ａの前方から退避して表示面６２Ａの上部に移動する。この状態では、右側暖簾部材２０６が中央装置５４の一部に隠されるため、遊技者側から視認することができなくなる。
【００８５】
次に、本発明の第１実施形態に係るパチンコ機の作用について説明する。
なお、通常遊技又は大当り遊技の状態において、図６乃至図８に示すように、各暖簾部材２０２、２０４、２０６は、各アーム部材２０８、２１０、２１２により演出図柄表示装置６２の表示面６２Ａの上部に押し上げられており、遊技者は各暖簾部材２０２、２０４、２０６及び各アーム部材２０８、２１０、２１２を視認することができない状態となっている。
【００８６】
例えば、遊技状態がリーチ遊技の状態（確変遊技状態、時短遊技状態でも可能）になると、サブ制御基板１０６のＣＰＵ１０６Ａから装飾駆動基板１１４を介して第１モータ２１４及び第２モータ２１６が駆動される。図９乃至図１１に示すように、第１モータ２１４が駆動すると、第１モータ軸２１４Ｂが一方側（後方側）に約９０度だけ回転する。
【００８７】
このとき、左側暖簾部材２０２は、左側アーム部材２０８により下方から支持されなくなるので、自重で落下する。なお、左側暖簾部材２０２の下端には自重で落下しやすいようにおもりがつけられている。そして、左側暖簾部材２０２は、演出図柄表示装置６２の表示面６２Ａの前方側に垂れ下がった状態になる。左側暖簾部材２０２が演出図柄表示装置６２の表示面６２Ａの前方に垂れ下がった状態になると、遊技者は左側暖簾部材２０２を視認することが可能になる。なお、左側アーム部材２０８は、左側暖簾部材２０２の後方側（裏側）に位置するため、遊技者は左側アーム部材２０８を視認することができない。
【００８８】
また、同様にして、第１モータ２１４が駆動し、第１モータ軸２１４Ｂが一方側（後方側）に約９０度だけ回転すると、中央側暖簾部材２０４は、中央側アーム部材２１０により下方から支持されなくなるので、自重で落下する。なお、中央側暖簾部材２０４の下端には自重で落下しやすいようにおもりがつけられている。そして、中央側暖簾部材２０４は、演出図柄表示装置６２の表示面６２Ａの前方に垂れ下がった状態になる。中央側暖簾部材２０４が演出図柄表示装置６２の表示面６２Ａの前方側に垂れ下がった状態になると、遊技者は中央側暖簾部材２０４を視認することが可能になる。
【００８９】
ここで、左側アーム部材２０８と中央側アーム部材２１０が同時に回転するため、左側暖簾部材２０２と中央側暖簾部材２０４は、略同じタイミングで演出図柄表示装置６２の表示面６２Ａの前方に垂れ下がる。
【００９０】
なお、中央側アーム部材２０８は、中央側暖簾部材２０４の後方側（裏側）に位置するため、遊技者は中央側アーム部材２１０を視認することができない。
【００９１】
また、第２モータ２１６が駆動すると、第２モータ軸２１６Ｂが一方側（後方側）に約９０度だけ回転する。なお、第２モータ２１６は、第１モータ２１４と同期して駆動制御される。これにより、右側暖簾部材２０６は、右側アーム部材２１２により下方から支持されなくなるので、自重で落下する。なお、右側暖簾部材２０６の下端には自重で落下しやすいようにおもりがつけられている。そして、右側暖簾部材２０６は、演出図柄表示装置６２の表示面６２Ａの前方側に垂れ下がった状態になる。右側暖簾部材２０６が演出図柄表示装置６２の表示面６２Ａの前方に垂れ下がった状態になると、遊技者は右側暖簾部材２０６を視認することが可能になる。
【００９２】
ここで、右側アーム部材２１２と中央側アーム部材２１０（左側アーム部材２０８）が同時に回転するため、右側暖簾部材２０６と中央側暖簾部材２０４（左側暖簾部材２０２）は、略同じタイミングで演出図柄表示装置６２の表示面６２Ａの前方に垂れ下がる。
【００９３】
なお、右側アーム部材２１２は、右側暖簾部材２０６の後方側（裏側）に位置するため、遊技者は右側アーム部材２１２を視認することができない。
【００９４】
このようにして、各暖簾部材２０２、２０４、２０６が演出図柄表示装置６２の表示面６２Ａの前方に垂下された状態となり、演出図柄表示装置６２の表示面６２Ａの前方を左右方向に並んだ状態になる。この状態では、各紐状部材２１８、２２０が撓んでおり、中央側暖簾部材２０４と右側暖簾部材２０６には、紐状部材２１８、２２０からの張力が付与されていない。
【００９５】
図１２乃至図１４に示すように、所定時間の経過後、サブ制御基板１０６のＣＰＵ１０６Ａから装飾駆動基板１１４を介して第１モータ２１４及び第２モータ２１６が駆動される。第１モータ２１４が駆動すると、第１モータ軸２１４Ｂが一方側（後方側）にさらに約６０度だけ回転する。
【００９６】
このとき、左側暖簾部材２０２は、自重の作用により、演出図柄表示装置６２の表示面６２Ａの前方に垂下された状態が維持される。すなわち、左側暖簾部材２０２の上端側の筒状部２０２Ａの内部で第１取付軸２１４Ｃが空回りして、左側アーム部材２０８のみが一方側（後方側）に約６０度だけ回転する。
【００９７】
また、同様にして、中央側暖簾部材２０４の上端側の筒状部２０４Ａの内部で第１取付軸２１４Ｃが空回りして、中央側アーム部材２１０のみが一方側（後方側）に約６０度だけ回転する。このとき、中央側暖簾部材２０４は、第１取付軸２１４Ｃからの回転駆動力を受けず、自重のみが作用する力学状態になるため、演出図柄表示装置６２の表示面６２Ａの前方に垂下された状態が維持される。ここで、紐状部材２１８が中央側アーム部材２１０の回転とともに張るため、中央側暖簾部材２０４の下端部の右側部位には紐状部材２１８から張力が付与される。これにより、中央側暖簾部材２０４の下端部の右側部位が後方の対角線方向上方側から引っ張られる形で、捲れ上がる。
【００９８】
また、第２モータ２１６が駆動すると、第２モータ軸２１６Ｂが一方側（後方側）にさらに約６０度だけ回転する。なお、第２モータ２１６は、第１モータ２１４と同期して駆動制御される。このとき、右側暖簾部材２０６は、第２取付軸２１６Ｃからの回転駆動力を受けず、自重のみが作用する力学状態になるため、演出図柄表示装置６２の表示面６２Ａの前方に垂下された状態が維持される。ここで、紐状部材２２０が右側アーム部材２１２の回転とともに張るため、右側暖簾部材２０６の下端部の左側部位には紐状部材２２０から張力が付与される。これにより、右側暖簾部材２０６の下端部の左側部位が後方の対角線方向上方側から引っ張られる形で、捲れ上がる。
【００９９】
なお、右側アーム部材２１２と中央側アーム部材２１０が同時に回転するため、右側暖簾部材２０６と中央側暖簾部材２０４は、略同じタイミングで捲れ上がる。
【０１００】
このようにして、各側暖簾部材２０２、２０４、２０６が演出図柄表示装置６２の表示面６２Ａの前方に垂下された状態となり、かつ中央側暖簾部材２０４の下端部の右側部位と右側暖簾部材２０６の下端部の左側部位が捲れ上がるため、遊技者は、あたかも暖簾が開いたかのように認識する。この結果、暖簾部材２０２、２０４、２０６の動作に斬新性を持たせることができ、遊技の興趣を高めることができる。
【０１０１】
一方、中央側暖簾部材２０４及び右側暖簾部材２０６が捲れ上がった後、所定の時間が経過すると、サブ制御基板１０６のＣＰＵ１０６Ａから装飾駆動基板１１４を介して第１モータ２１４及び第２モータ２１６が駆動される。第１モータ２１４が駆動すると、第１モータ軸２１４Ｃが他方側（前方側）に約６０度だけ回転する。
【０１０２】
図９乃至図１１に示すように、第１モータ軸２１４Ｂが他方側（前方側）に約６０度だけ回転すると、左側暖簾部材２０２の上端側の筒状部２０２Ａの内部で第１取付軸２１４Ｃが空回りして、左側アーム部材２０８のみが他方側（前方側）に約６０度だけ回転する。このとき、左側暖簾部材２０２は、第１取付軸２１４Ｃからの回転駆動力を受けず、自重のみが作用する力学状態になるため、演出図柄表示装置６２の表示面６２Ａの前方に垂下された状態が維持される。
【０１０３】
また、同様にして、中央側暖簾部材２０４の上端側の筒状部２０４Ａの内部で第１取付軸２１４Ｃが空回りして、中央側アーム部材２１０のみが他方側（前方側）に約６０度だけ回転する。このとき、中央側暖簾部材２０４は、第１取付軸２１４Ｃからの回転駆動力を受けず、自重のみが作用する力学状態になる。ここで、中央側アーム部材２１０の回転動作と共に紐状部材２１８が撓み、紐状部材２１８から中央側暖簾部材２０４の下端部の右側部位に作用していた張力が解除されるため、中央側暖簾部材２０４の下端部の右側部位の捲れが解消される。また、中央側暖簾部材２０４は、第１取付軸２１４Ｃからの回転駆動力も受けず、自重のみが作用する力学状態になるため、演出図柄表示装置６２の表示面６２Ａの前方に垂下された状態が維持される。
【０１０４】
また、第２モータ２１６が駆動して、第２モータ軸２１６Ｂが他方側（前方側）に約６０度だけ回転すると、右側暖簾部材２０６の上端側の筒状部２０６Ａの内部で第２取付軸２１６Ｃが空回りして、右側アーム部材２１２のみが他方側（前方側）に約６０度だけ回転する。このとき、右側暖簾部材２０６は、第２取付軸２１６Ｃからの回転駆動力を受けず、自重のみが作用する力学状態になる。ここで、右側アーム部材２１２の回転動作と共に紐状部材２２０が撓み、紐状部材２２０から右側暖簾部材２０６の下端部の左側部位に作用していた張力が解除されるため、右側暖簾部材２０６の下端部の左側部位の捲れが解消される。また、右側暖簾部材２０６は、第２取付軸２１６Ｃからの回転駆動力も受けず、自重のみが作用する力学状態になるため、演出図柄表示装置６２の表示面６２Ａの前方に垂下された状態が維持される。
【０１０５】
なお、右側アーム部材２１２と中央側アーム部材２１０が同時に回転するため、右側暖簾部材２０６と中央側暖簾部材２０４は略同じタイミングで捲れが解消されて、開いていた中央側暖簾部材２０４と右側暖簾部材２０６が下がることになる。
【０１０６】
このようにして、再度、各暖簾部材２０２、２０４、２０６が演出図柄表示装置６２の表示面６２Ａの前方に垂下された状態となり、演出図柄表示装置６２の表示面６２Ａの前方を左右方向に並んだ状態になる。このとき、遊技者は、開いた中央側暖簾部材２０４と右側暖簾部材２０６が下がったかのように認識する。
【０１０７】
続いて、各暖簾部材２０２、２０４、２０６が演出図柄表示装置６２の表示面６２Ａの前方に垂下された状態となって所定時間が経過すると、サブ制御基板１０６のＣＰＵ１０６Ａから装飾駆動基板１１４を介して第１モータ２１４及び第２モータ２１６が駆動される。第１モータ２１４が駆動すると、第１モータ軸２１４Ｃが他方側（前方側）に約９０度だけ回転する。
【０１０８】
図６乃至図８に示すように、第１モータ軸２１４Ｃが他方側（前方側）に約９０度だけ回転すると、左側アーム部材２０８の左側支持部材２０８Ｂが左側暖簾部材２０２の中央部（中心部）近傍を押し上げ、左側暖簾部材２０２をかき上げるようにして演出図柄表示装置６２の表示面６２Ａの上部に移動させる。このとき、左側暖簾部材２０２は、布状物で構成されており、軽くて折り曲げ自在になっているので、左側支持部材２０８Ｂに押されて表示面６２Ａの上部に容易に移動する。このようにして、左側暖簾部材２０２は、演出図柄表示装置６２の表示面６２Ａの前方から退避する。
【０１０９】
また、同様にして、第１モータ軸２１４Ｃが他方側（前方側）に約９０度だけ回転すると、中央側アーム部材２１０の中央側支持部材２１０Ｂが中央側暖簾部材２０４の中央部（中心部）近傍を押し上げ、中央側暖簾部材２０４をかき上げるようにして演出図柄表示装置６２の表示面６２Ａの上部に移動させる。このとき、中央側暖簾部材２０４は、布状物で構成されており、軽くて折り曲げ自在になっているので、中央側支持部材２１０Ｂに押されて表示面６２Ａの上部に容易に移動する。このようにして、中央側暖簾部材２０４は、演出図柄表示装置６２の表示面６２Ａの前方から退避する。
【０１１０】
なお、左側アーム部材２０８と中央側アーム部材２１０が同時に回転するため、左側暖簾部材２０２と中央側暖簾部材２０４は略同じタイミングで演出図柄表示装置６２の表示面６２Ａの前方から退避する。
【０１１１】
また、第２モータ軸２１６Ｃが他方側（前方側）に約９０度だけ回転すると、右側アーム部材２１２の右側支持部材２１２Ｂが右側暖簾部材２０６の中央部（中心部）近傍を押し上げ、右側暖簾部材２０６をかき上げるようにして演出図柄表示装置６２の表示面６２Ａの上部に移動させる。このとき、右側暖簾部材２０６は、布状物で構成されており、軽くて折り曲げ自在になっているので、右側支持部材２１２Ｂに押されて表示面６２Ａの上部に容易に移動する。このようにして、右側暖簾部材２０６は、演出図柄表示装置６２の表示面６２Ａの前方から退避する。
【０１１２】
なお、右側アーム部材２１２と中央側アーム部材２１０（左側アーム部材２０８）が同時に回転するため、右側暖簾部材２０６と中央側暖簾部材２０４（左側暖簾部材２０２）は略同じタイミングで演出図柄表示装置６２の表示面６２Ａの前方から退避する。
【０１１３】
以上のように、特定の遊技状態になると、各暖簾部材２０２、２０４、２０６が演出図柄表示装置６２の表示面６２Ａの前方に垂下した後、中央側暖簾部材２０４と右側暖簾部材２０６の一部が捲れ上がる。また、中央側暖簾部材２０４と右側暖簾部材２０６が捲れ上がった状態から所定時間が経過して中央側暖簾部材２０４と右側暖簾部材２０６が下がり、捲れが解消される。これにより、各暖簾部材２０２、２０４、２０６が演出図柄表示装置６２の表示面６２Ａの前方に完全に垂下した状態になる。そして、再度、各暖簾部材２０２、２０４、２０６が演出図柄表示装置６２の表示面６２Ａの前方から退避する。このように、可動役物本体を布状物で構成した場合でも、各暖簾部材２０２、２０４、２０６の動作を適切かつ容易に制御することができる。特に、各暖簾部材２０２、２０４、２０６の中心部が各アーム部材２０８、２１０、２１２により押し上げられるため、演出図柄表示装置６２の表示面６２Ａの前方から各暖簾部材２０２、２０４、２０６を迅速に退避させることができる。
【０１１４】
また、各暖簾部材２０２、２０４、２０６の捲れ動作を実現することにより、動作のバリエーションを増やすことができるため、各暖簾部材２０２、２０４、２０６の動作を斬新なもの（新鮮なもの）にすることができる。これにより、遊技者に遊技の面白みと期待感を与えることができる。この結果、遊技の興趣を高めることができる。
【０１１５】
また、各暖簾部材２０２、２０４、２０６が布状物で構成されているため、各暖簾部材２０２、２０４、２０６を、適宜、折り曲げて配置させることができる。この結果、可動役物２００を簡易な構成で実現することができ、ひいては演出図柄表示装置６２の表示面６２Ａの上部など、スペースが限られた部位（狭い部位）に可動役物２００を配置させることができる。
【０１１６】
次に、第１実施形態のパチンコ機の第１変形例について説明する。
【０１１７】
図１７に示すように、第１変形例の可動役物２５０の左側暖簾部材２０２及び中央側暖簾部材２０４は、水平方向に延びる第１軸部材２５２に取り付けられている。この第１軸部材２５２は、上下方向に伸び縮みする可動部材２５４Ａを備えた第１ソレノイド２５４と第１伝達部材２５６を介して接続されており、第１ソレノイド２５４の駆動により上下方向に沿って移動可能に構成されている。このため、左側暖簾部材２０２と中央側暖簾部材２０４の上下方向の移動が実現される。
【０１１８】
また、右側暖簾部材２０６は、水平方向に延びる第２軸部材２５８に取り付けられている。この第２軸部材２５８は、上下方向に伸び縮みする可動部材２６０Ａを備えた第２ソレノイド２６０と第２伝達部材２６２を介して接続されており、第２ソレノイド２６０の駆動により上下方向に沿って移動可能に構成されている。このため、右側暖簾部材２０６の上下方向の移動が実現される。
【０１１９】
ここで、中央側暖簾部材２０４の右側端部には、第１てこ部材２６４が取り付けられている。すなわち、第１てこ部材２６４は、第１軸部材２５２から右側上方側に向かって延びる第１圧力片２６６と、第１軸部材２５２から下方側（上下方向）に延びる第１作用片２６８と、第１圧力片２６６と第１作用片２６８との間に設けられた第１回転軸２７０と、で構成されている。また、第１圧力片２６６の延在方向は、第１作用片２６６の延在方向に対して右側に傾斜するように構成されている。また、第１てこ部材２６４は、第１回転軸２７０の軸回りに回転可能に構成されている。
【０１２０】
また、右側暖簾部材２０６の左側端部には、第２てこ部材２７２が取り付けられている。すなわち、第２てこ部材２７２は、第２軸部材２５８から左側上方に向かって延びる第２圧力片２７４と、第２軸部材２５８から下方側（上下方向）に延びる第２作用片２７６と、第２圧力片２７４と第２作用片２７６との間に設けられた第２回転軸２７８と、で構成されている。また、第２圧力片２７４の延在方向は、第２作用片２７６の延在方向に対して左側に傾斜するように構成されている。また、第２てこ部材２７２は、第２回転軸２７８の軸回りに回転可能に構成されている。
【０１２１】
さらに、第１てこ部材２６４及び第２てこ部材２７２の近傍には、第３ソレノイド２８０が設けられている。第３ソレノイド２８０は、上下方向に伸び縮みする可動部材２８０Ａを備えている。そして、第３ソレノイド２８０の可動部材２８０Ａにより第１てこ部材２６４及び第２てこ部材２７２の各圧力片２６６、２７４が上方から押圧されて、各てこ部材２６４、２７２が各回転軸２７０、２７８の軸回りに回転可能になるように構成されている。具体的には、第１てこ部材２６４は、第１回転軸２７０回りを時計回りに回転し、第２てこ部材２７２は、第２回転軸２７８回りを反時計回りに回転するように構成されている。
【０１２２】
なお、第１ソレノイド２５４、第２ソレノイド２６０及び第３ソレノイド２８０の駆動は、サブ制御基板１０６のＣＰＵ１０６Ａにより装飾駆動基板１１４を介して制御される。
【０１２３】
第１変形例によれば、図１７（Ａ）、（Ｂ）に示すように、各暖簾部材２０２、２０４、２０６が演出図柄表示装置６２の表示面６２Ａから退避した状態で、特定の遊技状態になると、第１ソレノイド２５４及び第２ソレノイド２６０が同期してサブ制御基板１０６のＣＰＵ１０６Ａにより装飾駆動基板１１４を介して駆動される。これにより、第１ソレノイド２５４及び第２ソレノイド２６０の各可動部材２５４Ａ、２６０Ａが下方向に伸び、各暖簾部材２０２、２０４、２０６が演出図柄表示装置６２の表示面６２Ａの前方に位置するようになる。この状態で、遊技者は、各暖簾部材２０２、２０４、２０６を認識する。
【０１２４】
次に、図１７（Ｂ）、（Ｃ）に示すように、各暖簾部材２０２、２０４、２０６が演出図柄表示装置６２の表示面６２Ａの前方に位置した状態で、第３ソレノイド２８０がサブ制御基板１０６のＣＰＵ１０６Ａにより装飾駆動基板１１４を介して駆動される。これにより、第３ソレノイド２８０の可動部材２８０Ａが下方向に伸び、やがて、第１てこ部材２６４及び第２てこ部材２７２の各圧力片２６６、２７４の先端部が下方に押圧される。第１てこ部材２６４及び第２てこ部材２７２の各圧力片２６６、２７４の先端部が下方に押圧されると、上述したように、第１てこ部材２６４及び第２てこ部材２７２が各回転軸２７４、２７８の軸回りを回転する。これにより、第１てこ部材２６４の第１作用片２６８が左側に移動し、第２てこ部材２７２の第２作用片２７６が右側に移動する。この状態において、遊技者は、中央側暖簾部材２０４と右側暖簾部材２０６がそれぞれ開いたことを認識する。
【０１２５】
以上により、第１変形例においても、可動役物２５０を簡易に構成することができるとともに、各暖簾部材２０２、２０４、２０６を演出図柄表示装置６２の表示面６２Ａの前方に移動させ、その後、中央側暖簾部材２０４と右側暖簾部材２０６をそれぞれ開けるという斬新な動作を実現することができる。
【０１２６】
特に、単一の第３ソレノイド２８０により２つのてこ部材２６４、２７２を回転させることができるため、部品点数を削減でき、構成を簡略化させることができる。また、第１実施形態で必要となっていた各アーム部材が不要となり、部品点数を削減できる。この結果、可動役物２５０を小型化することができる。
【０１２７】
次に、第１実施形態のパチンコ機の第２変形例について説明する。
なお、第２変形例は、第１変形例の構成に基づくものであり、第１変形例と重複する構成については同符号を付し、適宜、その説明を省略する。
【０１２８】
図１８（Ａ）、（Ｂ）、（Ｃ）に示すように、第２変形例の可動役物２９０は、第１てこ部材２６４の第１圧力片２６６の長さが第１作用片２６８の長さよりも長く設定されており、かつ第１圧力片２６６が第１作用片２６８に対して左側上方に向かって傾斜するように、構成されている。また、第２てこ部材２７２の第２圧力片２７４の長さが第２作用片２７６の長さよりも長く設定されており、かつ第２圧力片２７４が第２作用片２７６に対して右側上方に向かって傾斜している。
【０１２９】
また、第１てこ部材２６４を回転させる第４ソレノイド２９２が配置されている。第４ソレノイド２９２は、左右方向（水平方向）に伸び縮みする可動部材２９２Ａを備えている。この可動部材２９２Ａで第１てこ部材２６４の第１圧力片２６６を右側に押圧することにより、第１てこ部材２６４は第１回転軸２７０回りを時計回りに回転する。
【０１３０】
また、第２てこ部材２７２を回転させる第５ソレノイド２９４が配置されている。第５ソレノイド２９４は、左右方向（水平方向）に伸び縮みする可動部材２９４Ａを備えている。この可動部材２９４Ａで第２てこ部材２７２の第２圧力片２７４を左側に押圧することにより、第２てこ部材２７２は第２回転軸２７８回りを反時計回りに回転する。
【０１３１】
なお、第１ソレノイド２５４、第２ソレノイド２６０、第４ソレノイド２９２及び第５ソレノイド２９４の駆動は、サブ制御基板１０６のＣＰＵ１０６Ａにより装飾駆動基板１１４を介して制御される。
【０１３２】
第２変形例によれば、各暖簾部材２０２、２０４、２０６の上下方向の移動は、第１変形例と同様となり、第４ソレノイド２９２の可動部材２９２Ａが右方向に伸びることにより中央側暖簾部材２０４が左側に開き、第５ソレノイド２９４の可動部材２９４Ａが左方向に伸びることにより右側暖簾部材２０６が右側に開く。この状態において、遊技者は、中央側暖簾部材２０４と右側暖簾部材２０６がそれぞれ開いたことを認識する。
【０１３３】
以上のように、第２変形例においても、中央側暖簾部材２０４と右側暖簾部材２０６の開閉動作を容易に実現することができる。特に、第１圧力片２６６及び第２圧力片２７４の長さをそれぞれ長く設定し、左右方向に伸び縮みする可動部材２９２Ａ、２９４Ａを備えたソレノイド２９２、２９４で各圧力片２６６、２７４を押圧することにより、中央側暖簾部材２０４と右側暖簾部材２０６を大きく開けることができる。この結果、中央側暖簾部材２０４と右側暖簾部材２０６の開閉動作が大きくなり、遊技者に斬新なイメージを与えることができる。
【０１３４】
次に、第１実施形態のパチンコ機の第３変形例について説明する。
なお、第１実施形態と同様の構成には同じ符号を付し、説明を適宜省略する。
【０１３５】
図１９乃至図２３に示すように、可動役物２００を構成する各暖簾部材２０２、２０４、２０６の下方側端部（各暖簾部材２０２、２０４、２０６が演出図柄表示装置６２の表示面６２Ａの前方に垂下しているときに最下部となる部位）には、錘部材３０２、３０４、３０６がそれぞれ取り付けられている。また、可動役物２００は、ケーシング部材３０８の内部に収容されている。具体的には、ケーシング部材３０８には、可動役物２００を構成する各暖簾部材２０２、２０４、２０６と、各アーム部材２０８、２１０、２１２、各モータ２１４（モータ２１６は図示省略）、各紐状部材２１８、２２０が収容されている。なお、ケーシング部材３０８は、ボルトなどの固着具により遊技盤又はセンター役物などの装飾部材に取り付けられる。
【０１３６】
ケーシング部材３０８には、各暖簾部材２０２、２０４、２０６が通過する通過開口部（開口部）３１０（図２１参照）が形成されている。各通過開口部３１０は、各暖簾部材２０２、２０４、２０６が通過する通過口として対応するように形成されている。各暖簾部材２０２、２０４、２０６が演出図柄表示装置６２の表示面６２Ａの前方に垂下しているとき又は演出図柄表示装置６２の表示面６２Ａの前方から退避しているときに、各暖簾部材２０２、２０４、２０６の一部が常に通過開口部３１０に位置している。そして、各暖簾部材２０２、２０４、２０６が演出図柄表示装置６２の表示面６２Ａの前方から退避した状態から演出図柄表示装置６２の表示面６２Ａの前方に垂下するとき、あるいは暖簾部材２０２、２０４、２０６が演出図柄表示装置６２の表示面６２Ａの前方に垂下した状態から演出図柄表示装置６２の表示面６２Ａの前方から退避するときは、各暖簾部材２０２、２０４、２０６は、通過開口部３１０を通過する。
【０１３７】
ここで、ケーシング部材３０８の通過開口部３１０近傍には、ローラ部材３１２、３１４、３１６が設けられている。各ローラ部材３１２、３１４、３１６は、各通過開口部３１０にそれぞれ設けられており、各暖簾部材２０２、２０４、２０６と対応している。このローラ部材３１２、３１４、３１６は、各暖簾部材２０２、２０４、２０６が演出図柄表示装置６２の表示面６２Ａの前方から退避した状態から演出図柄表示装置６２の表示面６２Ａの前方に垂下するとき、あるいは暖簾部材２０２、２０４、２０６が演出図柄表示装置６２の表示面６２Ａの前方に垂下した状態から演出図柄表示装置６２の表示面６２Ａの前方から退避するときの、各暖簾部材２０２、２０４、２０６の移動方向に対して、略直交する方向に延びるようにして設けられている。具体的には、各暖簾部材２０２、２０４、２０６が上下方向（鉛直方向）に移動するため、ローラ部材３１２、３１４、３１６の軸方向は、左右方向（水平方向）に沿って延びている。
【０１３８】
また、ローラ部材３１２、３１４、３１６は、軸線回りに回転可能となるように設けられている。このため、各暖簾部材２０２、２０４、２０６が上下方向（鉛直方向）に移動する際に、各暖簾部材２０２、２０４、２０６がローラ部材３１２、３１４、３１６に接触するが、このとき、ローラ部材３１２、３１４、３１６は、各暖簾部材２０２、２０４、２０６と接触して所定の圧力を受けることになる。これにより、ローラ部材３１２、３１４、３１６は、圧力が作用する方向に軸線周りに回転する。このため、ローラ部材３１２、３１４、３１６と各暖簾部材２０２、２０４、２０６との間に発生する摩擦力を低減でき、各暖簾部材２０２、２０４、２０６を円滑に移動させることができる。
【０１３９】
また、ケーシング部材３０８の通過開口部近傍であって通過開口部３１０を挟んでローラ部材３１２、３１４、３１６と対向する部位には、リブ３１８（図２１参照）が設けられている。このリブ３１８は、通過開口部３１０の外縁に沿って形成されている。
【０１４０】
また、ローラ部材３１２、３１４、３１６とリブ３１８との通過開口部３１０を挟んだ離間距離は、錘部材３０２、３０４、３０６の径や大きさよりも小さくなるように設定されており、錘部材３０２、３０４、３０６がローラ部材３１２、３１４、３１６とリブ３１８との間を通過できないようになっている。
【０１４１】
第３変形例によれば、各暖簾部材２０２、２０４、２０６が演出図柄表示装置６２の表示面６２Ａの前方から退避している状態では、各暖簾部材２０２、２０４、２０６の大部分がケーシング部材３０８の内部に収容されており、錘部材３０２、３０４、３０６がローラ部材３１２、３１４、３１６及びリブ３１８との近傍に位置してケーシング部材３０８の外部に露出する。そして、各暖簾部材２０２、２０４、２０６が演出図柄表示装置６２の表示面６２Ａの前方に垂下するときには、この状態から各暖簾部材２０２、２０４、２０６が下方（重力作用方向）に移動する。このとき、各暖簾部材２０２、２０４、２０６は、ケーシング部材３０８の通過開口部３１０を通過してケーシング部材３０８の内部から外部に向かって繰り出されていく。ここで、各暖簾部材２０２、２０４、２０６には、錘部材３０２、３０４、３０６が取り付けられているため、重力の作用を受けて、各暖簾部材２０２、２０４、２０６が下方に移動し易くなる。
【０１４２】
また、各暖簾部材２０２、２０４、２０６が演出図柄表示装置６２の表示面６２Ａの前方に垂下した状態から各暖簾部材２０２、２０４、２０６を演出図柄表示装置６２の表示面６２Ａの前方から退避させると、各暖簾部材２０２、２０４、２０６は、錘部材３０２、３０４、３０６と共に上方（反重力方向）に移動する。これにより、各暖簾部材２０２、２０４、２０６は、通過開口部３１０を通過してケーシング部材３０８の内部に収容されていき、やがて、錘部材３０２、３０４、３０６がローラ部材３１２、３１４、３１６とリブ３１８との手前で停止する。このため、各暖簾部材２０２、２０４、２０６の全部がケーシング部材３０８の内部に進入することを防止できる。この結果、次回、各暖簾部材２０２、２０４、２０６を演出図柄表示装置６２の表示面６２Ａの前方に垂下させるときには、各暖簾部材２０２、２０４、２０６を演出図柄表示装置６２の表示面６２Ａの前方に円滑かつ確実に移動させることができ、各暖簾部材２０２、２０４、２０６の動作不良（次回の作動時に、各暖簾部材２０２、２０４、２０６を演出図柄表示装置６２の前方に垂下できなくなるという問題の発生）を防止できる。
【０１４３】
また、ケーシング部材３０８の通過開口部３１０を挟んで各ローラ部材３１２、３１４、３１６とリブ３１８が設けられているため、各ローラ部材３１２、３１４、３１６とリブ３１８との間を錘部材３０２、３０４、３０６が通過することができず、錘部材３０２、３０４、３０６の通過開口部３１０への進入を阻止することができる。これにより、錘部材３０２、３０４、３０６が通過開口部３１０に至る手前で、錘部材３０２、３０４、３０６を停止させることができる。この結果、錘部材３０２、３０４、３０６が通過開口部３１０に進入することを確実に防止できるとともに、錘部材３０２、３０４、３０６が衝突することを防止でき、通過開口部３１０ひいてはケーシング部材３０８が破損することを防止できる。
【符号の説明】
【０１４４】
１０ パチンコ機（遊技機）
６２ 演出図柄表示装置（表示装置）
６２Ａ 表示面（表示領域）
１０６ サブ制御基板（制御手段）
２００ 可動役物
２０２ 左側暖簾部材（可動役物本体）
２０４ 中央側暖簾部材（可動役物本体）
２０６ 右側暖簾部材（可動役物本体）
２０８ 左側アーム部材（アーム部材）
２１０ 中央側アーム部材（アーム部材）
２１２ 右側アーム部材（アーム部材）
２１４ 第１モータ（駆動手段）
２１６ 第２モータ（駆動手段）
２１８ 紐状部材（捲り部材、張力付与部材）
２２０ 紐状部材（捲り部材、張力付与部材）
３０２ 錘部材
３０４ 錘部材
３０６ 錘部材
３０８ ケーシング部材
３１０ 通過開口部（開口部）
３１２ ローラ部材（進入防止部材）
３１４ ローラ部材（進入防止部材）
３１６ ローラ部材（進入防止部材）
３１８ リブ
【図１】
0005321699.tif 000002
【図２】
0005321699.tif 000003
【図３】
0005321699.tif 000004
【図４】
0005321699.tif 000005
【図５】
0005321699.tif 000006
【図６】
0005321699.tif 000007
【図７】
0005321699.tif 000008
【図８】
0005321699.tif 000009
【図９】
0005321699.tif 000010
【図１０】
0005321699.tif 000011
【図１１】
0005321699.tif 000012
【図１２】
0005321699.tif 000013
【図１３】
0005321699.tif 000014
【図１４】
0005321699.tif 000015
【図１５】
0005321699.tif 000016
【図１６】
0005321699.tif 000017
【図１７】
0005321699.tif 000018
【図１８】
0005321699.tif 000019
【図１９】
0005321699.tif 000020
【図２０】
0005321699.tif 000021
【図２１】
0005321699.tif 000022
【図２２】
0005321699.tif 000023
【図２３】
0005321699.tif 000024